(57)【要約】【課題】ノイズの影響を低減することが可能な、受信回路、伝送回路、及びシステムを提供すること。【解決手段】受信回路１２は、受信信号Ｒｓの電圧Ｖｓと、基準電圧Ｖｒと、を比較して出力したパルス信号Ｐｓのパルス幅Ｐｗが所定幅Ｗｈ未満か否かを検出するパルス幅検出部１２８と、パルス幅Ｐｗが所定幅Ｗｈ未満の場合、基準電圧Ｖｒを所定電圧Ｖｈ以上に設定する基準電圧設定部１２７と、パルス幅Ｐｗが所定幅Ｗｈ以上の場合、パルス信号Ｐｓに基づいたデジタル信号Ｄｓを出力し、パルス幅Ｐｗが所定幅Ｗｈ未満の場合、デジタル信号Ｄｓを出力しないように制御する出力制御部１２９と、を備える。【選択図】図２
2019110379.tif 000002
【特許請求の範囲】
【請求項１】
検波後の受信信号の電圧と基準電圧とを比較してパルス信号を出力する電圧比較部と、
前記パルス信号のパルス幅が所定幅未満の場合、前記基準電圧を所定電圧以上に設定し、前記パルス幅が前記所定幅以上の場合、前記基準電圧を前記所定電圧未満に設定する基準電圧設定部と、
前記パルス幅が前記所定幅未満の場合、前記パルス信号を出力せず、前記パルス幅が前記所定幅以上の場合、前記パルス信号を出力する出力制御部と、
を備える受信回路。
【請求項２】
前記パルス幅が前記所定幅未満か否かを検出するパルス幅検出部を、さらに備えた請求項１に記載の受信回路。
【請求項３】
前記電圧比較部は、
前記受信信号の電圧が前記基準電圧以上の場合、Ｈｉｇｈの前記パルス信号を出力し、
前記受信信号の電圧が前記基準電圧未満の場合、Ｌｏｗの前記パルス信号を出力する、
請求項１に記載の受信回路。
【請求項４】
前記受信信号は、前記受信信号を検波する検波部を用いて前記受信信号の電圧に変換される、請求項１に記載の受信回路。
【請求項５】
前記受信信号は、ＦＳＫ(Frequency Shift Keying)変調された信号である、請求項１に記載の受信回路。
【請求項６】
前記パルス幅が前記所定幅未満の場合、自受信回路が含まれる受信装置を休止状態に設定する、請求項１に記載の受信回路。
【請求項７】
前記受信装置が前記休止状態において、前記パルス幅が前記所定幅以上の場合、前記受信装置を前記休止状態から起動状態に設定する、請求項６に記載の受信回路。
【請求項８】
前記所定幅は、正規の前記受信信号の電圧の最小のパルス幅である、請求項１に記載の受信回路。
【請求項９】
前記パルス幅検出部は、
前記パルス幅が前記所定幅未満の場合、制御信号を出力し、
前記パルス幅が前記所定幅以上の場合、制御信号を出力せず、
前記基準電圧設定部は、
前記制御信号が入力された場合、前記基準電圧を前記所定電圧以上に設定し、
前記制御信号が入力されない場合、前記基準電圧を前記所定電圧未満に設定し、
出力制御部は、
前記制御信号が入力された場合、前記パルス信号を出力せず、
前記制御信号が入力されない場合、前記パルス信号を出力する、
請求項２に記載の受信回路。
【請求項１０】
前記基準電圧設定部は、
一端が前記受信信号の電圧に接続され、他端が前記基準電圧に接続された抵抗素子と、
一端が前記抵抗素子の他端に接続され、他端がグランドに接続された容量素子と、
第１端子が前記基準電圧に接続され、第２端子が前記制御信号に接続された切替器と、
一端が前記切替器の第３端子に接続され、他端が前記グランドに接続された電流源と、を有し、
前記切替器は、
前記制御信号が入力された場合、前記第１端子と前記第３端子とを接続し、
前記制御信号が入力されない場合、前記第１端子と前記第３端子とを接続しない、
請求項９に記載の受信回路。
【請求項１１】
前記パルス幅検出部は、
前記パルス信号が入力するフリップフロップと、
前記フリップフロップに接続されたセットリセットラッチと、を有し、
前記セットリセットラッチは、
前記パルス幅が前記所定幅未満の場合、前記制御信号を出力し、
前記パルス幅が前記所定幅以上の場合、前記制御信号を出力しない、
請求項９に記載の受信回路。
【請求項１２】
パルス信号生成装置で生成されたパルス信号を、前記パルス信号に基づいて駆動するゲート駆動回路に伝送する伝送回路であって、
前記パルス信号のパルス幅が所定幅未満か否かを検出するパルス幅検出部と、
前記パルス幅が前記所定幅未満の場合、前記パルス信号を出力せず、前記パルス幅が前記所定幅以上の場合、前記パルス信号を出力する出力制御部と、
を備える伝送回路。
【請求項１３】
受信回路を有する受信装置と、前記受信装置と通信する端末装置と、を備えるシステムであって、
前記端末装置は、前記受信装置に対して遠隔操作を行う送信部を有し、
前記受信回路は、
検波後の受信信号の電圧と基準電圧とを比較してパルス信号を出力する電圧比較部と、
前記パルス信号のパルス幅が所定幅未満の場合、前記基準電圧を所定電圧以上に設定し、前記パルス幅が前記所定幅以上の場合、前記基準電圧を前記所定電圧未満に設定する基準電圧設定部と、
前記パルス幅が前記所定幅未満の場合、前記パルス信号を出力せず、前記パルス幅が前記所定幅以上の場合、前記パルス信号を出力する出力制御部と、を有する、
システム。
【請求項１４】
前記受信回路は、前記パルス幅が前記所定幅未満か否かを検出するパルス幅検出部を、さらに備える、請求項１３に記載のシステム。
【発明の詳細な説明】
【技術分野】
【０００１】
本開示は受信回路、伝送回路、及びシステムに関するものであり、特に、ノイズの影響を低減することが可能な、受信回路、伝送回路、及びシステムに関する。
【背景技術】
【０００２】
ＦＳＫ(Frequency Shift Keying)で変調された信号を復調するＦＳＫ受信回路は、受信信号を検波する検波器と、受信信号の検波後の電圧と基準電圧とに基づいてデジタル信号を出力する電圧比較部と、を有する。
【０００３】
特許文献１には、検波器で検波したＦＳＫ信号を分岐し、分岐した一方を電圧比較部に入力し、分岐した他方から直流電圧成分を抽出し基準電圧発生部に入力し、基準電圧発生部は直流電圧成分により基準電圧を発生して電圧比較部に入力することが記載されている。また、特許文献１には、電圧比較部に入力される直流電圧変動と、基準電圧発生部の出力の直流電圧変動とが同じとなるため、電圧比較部は、検波出力を正確なデータビット幅のデジタル信号に復元することが記載されている。
【先行技術文献】
【特許文献】
【０００４】
【特許文献１】特開平６−３７８２２号公報
【発明の概要】
【発明が解決しようとする課題】
【０００５】
しかしながら、ＦＳＫ受信回路の検波器は、受信信号が無い（無信号）の場合でもランダムノイズを出力する。このため、電圧比較部は、受信信号が無い場合でもランダムノイズと基準電圧とに基づいたデジタル信号を出力するという問題があった。
【０００６】
その他の課題と新規な特徴は、本明細書の記述および添付図面から明らかになるであろう。
【課題を解決するための手段】
【０００７】
一実施の形態によれば、受信回路は、
検波後の受信信号の電圧と基準電圧とを比較してパルス信号を出力する電圧比較部と、
前記パルス信号のパルス幅が所定幅未満の場合、前記基準電圧を所定電圧以上に設定し、前記パルス幅が前記所定幅以上の場合、前記基準電圧を前記所定電圧未満に設定する基準電圧設定部と、
前記パルス幅が前記所定幅未満の場合、前記パルス信号を出力せず、前記パルス幅が前記所定幅以上の場合、前記パルス信号を出力する出力制御部と、
を備える。
【発明の効果】
【０００８】
前記一実施の形態によれば、ノイズの影響を低減することが可能な、受信回路、伝送回路、及びシステムを提供することができる。
【図面の簡単な説明】
【０００９】
【図１】実施の形態１に係るシステムを例示するブロック図である。
【図２】実施の形態１に係る受信回路を例示するブロック図である。
【図３】実施の形態１に係る基準電圧設定部を例示する回路図である。
【図４】実施の形態１に係るパルス幅検出部を例示する回路図である。
【図５】実施の形態１の比較例に係る受信回路を例示するブロック図である。
【図６】実施の形態２に係る伝送システムを例示するブロック図である。
【図７】実施の形態２に係る伝送回路を例示する回路図である。
【発明を実施するための形態】
【００１０】
説明の明確化のため、以下の記載及び図面は、適宜、省略、及び簡略化がなされている。また、様々な処理を行う機能ブロックとして図面に記載される各要素は、ハードウェア的には、ＣＰＵ、メモリ、その他の回路で構成することができ、ソフトウェア的には、メモリにロードされたプログラムなどによって実現される。したがって、これらの機能ブロックがハードウェアのみ、ソフトウェアのみ、またはそれらの組合せによっていろいろな形で実現できることは当業者には理解されるところであり、いずれかに限定されるものではない。なお、各図面において、同一の要素には同一の符号が付されており、必要に応じて重複説明は省略されている。
【００１１】
また、上述したプログラムは、様々なタイプの非一時的なコンピュータ可読媒体を用いて格納され、コンピュータに供給することができる。非一時的なコンピュータ可読媒体は、様々なタイプの実体のある記録媒体を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Ｒｅａｄ  Ｏｎｌｙ  Ｍｅｍｏｒｙ）ＣＤ−Ｒ、ＣＤ−Ｒ／Ｗ、半導体メモリ（例えば、マスクＲＯＭ、ＰＲＯＭ（Ｐｒｏｇｒａｍｍａｂｌｅ  ＲＯＭ）、ＥＰＲＯＭ（Ｅｒａｓａｂｌｅ  ＰＲＯＭ）、フラッシュＲＯＭ、ＲＡＭ（Ｒａｎｄｏｍ  Ａｃｃｅｓｓ  Ｍｅｍｏｒｙ））を含む。また、プログラムは、様々なタイプの一時的なコンピュータ可読媒体によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００１２】
［実施の形態１］
システム全体について説明する。
図１は、実施の形態１に係るシステムを例示するブロック図である。
【００１３】
図１に示すように、実施の形態１に係るシステム１０ｓは、受信回路１２を有する受信装置１０と、受信装置１０と通信する端末装置６０と、を備える。
【００１４】
端末装置６０は、アンテナ６１と送信部６２とを有する。端末装置６０は、アンテナ６１を介して受信装置１０と通信する。送信部６２は、受信装置１０に対して遠隔操作を行う。
【００１５】
受信装置１０は、アンテナ１１と信号処理回路１３とドアロック制御回路１４とを有する。受信装置１０は、アンテナ１１を介して端末装置６０から送信された信号を受信する。受信回路１２は、受信した信号を復調し、復調したデジタル信号Ｄｓを信号処理回路１３に出力する。受信回路１２が受信した信号を、受信信号Ｒｓと称する。
【００１６】
信号処理回路１３は、受信回路１２から入力したデジタル信号Ｄｓを復号するデコーダ部１３１とＩＤ(IDentification)を照合するＩＤ照合部１３２とを有する。復号をデコードと称することもある。信号処理回路１３は、受信信号Ｒｓが無い場合、又は、受信回路１２からデジタル信号Ｄｓが入力されない場合（受信回路１２からデジタル信号Ｄｓが出力されない場合）、低消費電力化のためパワーダウン状態となる。信号処理回路１３は、パワーダウン状態において、受信回路１２から出力されたデジタル信号Ｄｓが入力された場合、パワーダウン状態から起動して起動状態となり、デジタル信号Ｄｓを復号し、ＩＤを照合する。
【００１７】
端末装置６０は、例えば、車両のドアロックを解除するリモコン装置である。リモコン装置から送信された信号を、車両に搭載された受信装置１０が受信する。受信装置１０のＩＤ照合部１３２は、ＩＤを照合する。ドアロック制御回路１４は、ＩＤ照合部１３２によってＩＤが照合された結果、認証が取れると、車両のドアロックを解除する。
【００１８】
尚、システム１０ｓを、リモートエントリシステムと称することもある。
【００１９】
受信回路１２について説明する。
図２は、実施の形態１に係る受信回路を例示するブロック図である。
【００２０】
図２に示すように、受信回路１２は、低雑音増幅部１２１ａとミキサ１２２と局部発振部１２３とバンドパスフィルタ１２４ａと中間周波増幅部１２１ｂと検波部１２５とローパスフィルタ１２４ｂと電圧比較部１２６と基準電圧設定部１２７とパルス幅検出部１２８と出力制御部１２９とを備える。
【００２１】
低雑音増幅部１２１ａは、アンテナ１１で受信された受信信号Ｒｓを増幅する。受信信号Ｒｓは、例えば、ＦＳＫ(Frequency Shift Keying)変調された信号である。局部発振部１２３は、局部発振信号Ｌｓを出力する。ミキサ１２２は、局部発振信号Ｌｓを使用して受信信号Ｒｓを中間周波信号Ｍｓに変換する。バンドパスフィルタ１２４ａは、中間周波信号Ｍｓから不要な成分を除去する。
【００２２】
中間周波増幅部１２１ｂは、バンドパスフィルタ１２４ａを通過後の中間周波信号Ｍｓを増幅する。検波部１２５は、中間周波信号Ｍｓを検波（復調）して電圧Ｖｓに変換する。すなわち、受信信号Ｒｓは、中間周波信号Ｍｓに変換された後、検波部１２５を用いて電圧Ｖｓに変換される。受信信号Ｒｓは、検波部１２５を用いて、直接に電圧Ｖｓに変換されてもよい。ローパスフィルタ１２４ｂは、電圧Ｖｓに含まれる不要な高周波成分を除去する。ローパスフィルタ１２４ｂ通過後の電圧Ｖｓを、受信信号Ｒｓの電圧Ｖｓと称する。
【００２３】
電圧比較部１２６は、検波後の受信信号Ｒｓの電圧Ｖｓと、基準電圧Ｖｒと、を比較して、パルス信号Ｐｓを出力する。すなわち、電圧比較部１２６は、受信信号Ｒｓの電圧Ｖｓを基準電圧Ｖｒと比較し、波形整形し、波形整形されたパルス信号Ｐｓを出力する。
【００２４】
具体的には、電圧比較部１２６は、受信信号Ｒｓの電圧Ｖｓが基準電圧Ｖｒ以上の場合、Ｈｉｇｈのパルス信号Ｐｓを出力する。また、電圧比較部１２６は、受信信号Ｒｓの電圧Ｖｓが基準電圧Ｖｒ未満の場合、Ｌｏｗのパルス信号Ｐｓを出力する。
【００２５】
Ｈｉｇｈのパルス信号は、電圧が所定の閾値以上のパルス信号のことであり、Ｌｏｗのパルス信号は、電圧が所定の閾値未満のパルス信号のことである。
【００２６】
パルス幅検出部１２８は、電圧比較部１２６から出力したパルス信号Ｐｓのパルス幅Ｐｗが所定幅Ｗｈ未満か否かを検出する。
【００２７】
基準電圧設定部１２７は、パルス幅Ｐｗが所定幅Ｗｈ未満の場合、基準電圧Ｖｒを所定電圧Ｖｈ以上に設定する。また、基準電圧設定部１２７は、パルス幅Ｐｗが所定幅Ｗｈ以上の場合、基準電圧Ｖｒを所定電圧Ｖｈ未満に設定する。
【００２８】
出力制御部１２９は、パルス幅Ｐｗが所定幅Ｗｈ未満の場合、パルス信号Ｐｓを出力しない。また、出力制御部１２９は、パルス幅Ｐｗが所定幅Ｗｈ以上の場合、波形整形されたパルス信号Ｐｓをデジタル信号Ｄｓとして出力する。
【００２９】
ところで、通信で使用する信号の規格は、例えば、無線規格等で規定される。実施の形態１に係る受信装置１０（受信回路１２）においても、受信信号Ｒｓの規格は、適用する無線規格等で規定される。無線規格等で規定された受信信号Ｒｓを、正規の受信信号Ｒｓｓと称する。また、正規の受信信号Ｒｓｓが検波部１２５に入力された場合、検波部１２５から出力され、ローパスフィルタ１２４ｂを介して電圧比較部１２６に入力される電圧を、正規の受信信号Ｒｓｓの電圧Ｖｓｓと称する。また、ノイズが検波部１２５に入力された場合、検波部１２５から出力され、ローパスフィルタ１２４ｂを介して電圧比較部１２６に入力される電圧を、ノイズ電圧Ｖｚと称する。
【００３０】
正規の受信信号Ｒｓｓの電圧Ｖｓｓが電圧比較部１２６に入力された場合、電圧比較部１２６から出力されるパルス信号Ｐｓのパルス幅Ｐｗは、長短様々である。しかしながら、電圧比較部１２６から出力されるパルス信号Ｐｓの最小のパルス幅は、１つである。この最小のパルス幅を、最小パルス幅Ｐｗｍとする。
【００３１】
正規の受信信号Ｒｓｓの電圧Ｖｓｓが電圧比較部１２６に入力された場合、最小パルス幅Ｐｗｍ未満のパルス幅Ｐｗを有するパルス信号Ｐｓは、電圧比較部１２６から出力されない。また、最小パルス幅Ｐｗｍ以上のパルス幅Ｐｗを有するパルス信号Ｐｓは、電圧比較部１２６から出力される。
【００３２】
しかしながら、ノイズ電圧Ｖｚが電圧比較部１２６に入力された場合、最小パルス幅Ｐｗｍ未満のパルス幅Ｐｗを有するパルス信号Ｐｓが、電圧比較部１２６から出力されることがある。最小パルス幅Ｐｗｍ未満のパルス幅Ｐｗを有するパルス信号Ｐｓを、パルス信号Ｐｓｍと称する。そして、電圧比較部１２６から出力されたパルス信号Ｐｓｍが、信号処理回路１３を誤動作させてしまうことがある。
【００３３】
そこで、実施の形態１においては、所定幅Ｗｈを、正規の受信信号Ｒｓｓの電圧Ｖｓｓの最小パルス幅Ｐｗｍとする。所定幅Ｗｈを最小パルス幅Ｐｗｍとすることにより、出力制御部１２９は、最小パルス幅Ｐｗｍ未満のパルス幅Ｐｗを有するパルス信号Ｐｓを出力させない。
【００３４】
これにより、ノイズが受信回路１２に入力された場合、受信回路１２の出力制御部１２９はパルス信号Ｐｓをデジタル信号Ｄｓとして出力しないので、ノイズの影響を低減することができる。
【００３５】
すなわち、本来必要な受信信号以外のノイズの影響を受けないので、不必要な動作を行うことを抑制することができ、消費電力を低減することができる。
【００３６】
受信回路１２の基準電圧設定部１２７とパルス幅検出部１２８と出力制御部１２９は、ノイズの影響を受けない機能（ノイズを除去する機能）を有する。このため、基準電圧設定部１２７とパルス幅検出部１２８と出力制御部１２９とを、総称してノイズフィルタと称することもある。
【００３７】
受信回路１２は、電圧比較部１２６から出力されたパルス信号Ｐｓのパルス幅Ｐｗが所定幅Ｗｈ未満の場合、受信回路１２が含まれる受信装置１０を休止状態に設定する。受信回路１２は、パルス信号Ｐｓのパルス幅Ｐｗが所定幅Ｗｈ未満の場合、受信装置１０のうちの、例えば、信号処理回路１３を休止状態に設定してもよい。休止状態をパワーダウン状態と称することもある。
【００３８】
受信装置１０の一部、又は、全てを休止状態に設定することにより、受信装置１０の消費電力を低減することができる。
【００３９】
受信回路１２は、受信装置１０が休止状態において、電圧比較部１２６から出力されたパルス信号Ｐｓのパルス幅Ｐｗが所定幅Ｗｈ以上となった場合、受信装置１０を休止状態から起動状態に設定する。
【００４０】
これにより、受信装置１０をパワーダウン状態から即座に起動状態に設定することができる。
【００４１】
尚、パルス幅検出部１２８は、受信信号Ｒｓの電圧Ｖｓと、基準電圧Ｖｒと、を比較して出力したパルス信号Ｐｓのパルス幅Ｐｗが所定幅Ｗｈ未満の場合、制御信号Ｃｓを出力し、パルス幅Ｐｗが所定幅Ｗｈ以上の場合、制御信号Ｃｓを出力しない。
【００４２】
また、基準電圧設定部１２７は、制御信号Ｃｓが入力された場合、基準電圧Ｖｒを所定電圧Ｖｈ以上に設定し、制御信号Ｃｓが入力されない場合、基準電圧Ｖｒを所定電圧Ｖｈ未満に設定する。
【００４３】
また、出力制御部１２９は、制御信号Ｃｓが入力された場合、パルス信号Ｐｓを出力せず、制御信号Ｃｓが入力されない場合、パルス信号Ｐｓを出力する。
【００４４】
実施の形態１に係る受信回路１２においては、正規の受信信号Ｒｓｓの最小パルス幅Ｐｗｍ未満のパルス幅Ｐｗを有するパルス信号Ｐｓが、電圧比較部１２６から出力されている場合、基準電圧設定部１２７は、電圧比較部１２６へ与える基準電圧Ｖｒを上昇させる。基準電圧Ｖｒを上昇させることにより、正規の受信信号Ｒｓｓを受信していない無信号時に、ノイズに対応するパルス信号Ｐｓが電圧比較部１２６から出力することを抑制する。
【００４５】
また、正規の受信信号Ｒｓｓの最小パルス幅Ｐｗｍ未満のパルス幅Ｐｗを有するパルス信号Ｐｓが、電圧比較部１２６から出力されている場合、出力制御部１２９は、パルス信号Ｐｓｍをデジタル信号Ｄｓとして出力しない。
【００４６】
これにより、無信号時にノイズが受信回路１２に入力された場合、受信回路１２の出力制御部１２９がデジタル信号Ｄｓを出力しないので、ノイズの影響を低減することができる。
【００４７】
その結果、ノイズの影響を低減することが可能な、受信回路、及びシステムを提供することができる。
【００４８】
また、電圧比較部１２６から出力されたパルス信号Ｐｓのパルス幅Ｐｗが所定幅Ｗｈ未満の場合、ノイズによる不要な動作を停止するため、受信装置１０のうちの、例えば、信号処理回路１３は休止状態に設定される。受信装置１０は、休止状態に設定されることで、回路動作が最適化され、受信装置１０の消費電力を低減することができる。
【００４９】
ここで、基準電圧設定部１２７の具体的な例を以下に記載する。
図３は、実施の形態１に係る基準電圧設定部を例示する回路図である。
【００５０】
図３に示すように、実施の形態１に係る基準電圧設定部１２７は、抵抗素子Ｒと容量素子Ｃと切替器Ｓｗと定電流源Ｉｓと受信信号電圧端子Ｖｉｐと制御信号端子Ｇと基準電圧端子Ｖｒｐとを有する。
【００５１】
抵抗素子Ｒは、一端が受信信号Ｒｓの電圧Ｖｓに受信信号電圧端子Ｖｉｐを介して接続され、他端が基準電圧Ｖｒに基準電圧端子Ｖｒｐを介して接続される。容量素子Ｃは、一端が抵抗素子Ｒの他端に接続され、他端がグランドＧＮＤに接続される。切替器Ｓｗは、第１端子が基準電圧Ｖｒに接続され、第２端子が制御信号Ｃｓに制御信号端子Ｇを介して接続される。定電流源Ｉｓは、一端が切替器Ｓｗの第３端子に接続され、他端がグランドＧＮＤに接続される。
【００５２】
切替器Ｓｗは、制御信号端子Ｇを介して入力された制御信号Ｃｓにより制御される。具体的には、切替器Ｓｗは、制御信号Ｃｓが入力された場合、第１端子と第３端子とを接続する。また、切替器Ｓｗは、制御信号Ｃｓが入力されない場合、第１端子と第３端子とを接続しない。
【００５３】
検波部１２５から出力した受信信号Ｒｓの電圧Ｖｓは、受信信号電圧端子Ｖｉｐに入力する。パルス幅検出部１２８から出力した制御信号Ｃｓは、制御信号端子Ｇに入力する。容量素子Ｃに保持された電圧は、基準電圧端子Ｖｒｐを介して基準電圧Ｖｒとして出力される。
【００５４】
正規の受信信号Ｒｓｓが検波部１２５に入力された場合に検波部１２５から出力され、受信信号電圧端子Ｖｉｐを介して入力された正規の受信信号Ｒｓｓの電圧Ｖｓｓは、所定の閾値未満の場合にＬｏｗと認識され、所定の閾値以上の場合にＨｉｇｈと認識される。
すなわち、正規の受信信号Ｒｓｓの電圧Ｖｓｓは、Ｌｏｗに相当する電圧とＨｉｇｈに相当する電圧との間で変化する。
【００５５】
このため、受信信号電圧端子Ｖｉｐから入力した正規の受信信号Ｒｓｓの電圧Ｖｓｓは、抵抗素子Ｒと容量素子Ｃにより積分される。そして、容量素子ＣにはＬｏｗに相当する電圧とＨｉｇｈに相当する電圧の中間付近（平均）の電圧が保持され、基準電圧端子Ｖｒｐから出力される。
【００５６】
このとき、パルス幅検出部１２８から出力された制御信号Ｃｓが制御信号端子Ｇに入力されると、切替器Ｓｗは第１端子と第３端子とを接続するので、定電流源Ｉｓは、切替器Ｓｗを介して容量素子Ｃに電流を流し込む。これにより、容量素子Ｃが保持する電荷を増加させ、基準電圧端子Ｖｒｐから出力される基準電圧Ｖｒを上昇させる。
【００５７】
尚、抵抗素子を抵抗器と称し、容量素子をコンデンサと称し、切替器をスイッチと称することもある。また、Ｌｏｗを０と称し、Ｈｉｇｈを１と称することもある。
【００５８】
パルス幅検出部１２８の具体的な例を以下に記載する。
図４は、実施の形態１に係るパルス幅検出部を例示する回路図である。
【００５９】
図４に示すように、実施の形態１に係るパルス幅検出部１２８は、フリップフロップＦＦとセットリセットラッチＳＲとパルス信号端子ＤＩＮとクロック端子ＣＩＮとパルス信号端子ＤＯＵＴとゲート端子ＧＡＴＥと制御信号端子ＳＰＵＬＳＥとを有する。
【００６０】
電圧比較部１２６の出力であるパルス信号Ｐｓが、フリップフロップＦＦにパルス信号端子ＤＩＮを介して入力する。フリップフロップＦＦのクロックが、クロック端子ＣＩＮに入力する。セットリセットラッチＳＲの入力がフリップフロップＦＦの出力に接続される。セットリセットラッチＳＲは、パルス信号Ｐｓのパルス幅Ｐｗが所定幅Ｗｈ未満の場合、制御信号Ｃｓを制御信号端子ＳＰＵＬＳＥを介して出力する。また、セットリセットラッチＳＲは、パルス信号Ｐｓのパルス幅Ｐｗが所定幅Ｗｈ以上の場合、制御信号Ｃｓを出力しない。
【００６１】
ここで、クロック端子ＣＩＮに、例えば、正規の受信信号Ｒｓｓの最小パルス幅Ｐｗｍの３分の１のパルス幅Ｐｗを有するクロックが入力された場合を例に挙げてパルス幅検出部１２８の動作を説明する。
【００６２】
このとき、パルス信号端子ＤＩＮに入力したパルス信号Ｐｓのパルス幅Ｐｗがクロックのパルス幅の３倍以上である場合、セットリセットラッチＳＲはリセットされ、制御信号Ｃｓは制御信号端子ＳＰＵＬＳＥから出力しない。また、パルス信号端子ＤＩＮから入力したパルス信号Ｐｓは、パルス信号端子ＤＯＵＴから出力する。また、ゲート信号Ｇｓがゲート端子ＧＡＴＥを介して出力する。パルス信号Ｐｓとゲート信号Ｇｓとが入力された出力制御部１２９は、パルス信号Ｐｓをデジタル信号Ｄｓとして出力する。
【００６３】
また、このとき、パルス信号端子ＤＩＮに入力したパルス信号Ｐｓのパルス幅Ｐｗがクロックのパルス幅Ｐｗの３倍未満である場合、セットリセットラッチＳＲはセットされ、制御信号Ｃｓは制御信号端子ＳＰＵＬＳＥから出力する。パルス信号Ｐｓとゲート信号Ｇｓとが入力された出力制御部１２９は、パルス信号Ｐｓ（デジタル信号Ｄｓ）を出力しない。
【００６４】
［比較例］
図５は、実施の形態１の比較例に係る受信回路を例示するブロック図である。
図５は、説明を簡単にするため、受信回路４２の一部を省略している。
【００６５】
図５に示すように、比較例に係る受信回路４２は、実施の形態１に係る受信回路１２と比べて、パルス幅検出部１２８と出力制御部１２９とが設けられていない点が主に異なる。
【００６６】
検波部４２５は、受信信号Ｒｓを検波し、受信信号Ｒｓの電圧Ｖｓを出力する。分岐部４２４ａは、受信信号Ｒｓの電圧Ｖｓを分岐する。分岐された一方の電圧Ｖｓ１は、電圧比較部４２６に入力され、分岐された他方の電圧Ｖｓ２は、平滑部４２４ｂに入力される。平滑部４２４ｂは、分岐された他方の電圧Ｖｓ２を平滑し基準電圧設定部４２７に入力する。基準電圧設定部４２７は、平滑部４２４ｂから入力された電圧Ｖｓ２を平均し、平均した電圧を基準電圧Ｖｒとして電圧比較部４２６に入力する。電圧比較部４２６は、電圧Ｖｓ１と、電圧Ｖｓ２の平均電圧と、を比較してデジタル信号Ｄｓを出力する。
【００６７】
比較例に係る受信回路４２は、受信信号Ｒｓの入力が無い（無信号）の場合、検波部４２５からランダムノイズの電圧が出力され、ランダムノイズの電圧は、分岐部４２４ａで分岐される。分岐された一方の電圧は、電圧比較部４２６に入力され、他方の電圧は、平滑部４２４ｂと基準電圧設定部４２７を介して、基準電圧Ｖｒとして電圧比較部４２６に入力される。電圧比較部４２６は、ランダムノイズの電圧と、平滑部４２４ｂから入力されたランダムノイズの平均電圧と、を比較するため、無信号時でもランダムノイズをデジタル信号Ｄｓとして出力してしまう。
【００６８】
すなわち、受信回路４２にノイズが入力された場合でも、受信回路４２はデジタル信号Ｄｓを出力するので、ノイズの影響を低減することは難しい。
【００６９】
その結果、ノイズの影響を低減することが可能な、受信回路、及びシステムを提供することは難しい。
【００７０】
また、デジタル信号Ｄｓが出力される度に、図示しない信号処理部が起動され電力が消費されるので、消費電力を低減することは難しい。
【００７１】
［実施の形態２］
図６は、実施の形態２に係る伝送システムを例示するブロック図である。
【００７２】
図６に示すように、実施の形態２に係る伝送システム２０ｓは、パルス信号生成装置２１と、伝送回路２２と、プリドライバ２３と、ゲート駆動回路２５と、を有する。パルス信号生成装置２１と伝送回路２２とは配線２４ａで接続され、伝送回路２２とプリドライバ２３とは配線２４ｂで接続され、プリドライバ２３とゲート駆動回路２５とは配線２４ｃで接続される。配線２４ａと配線２４ｂと配線２４ｃとを総称して配線２４と称する。
【００７３】
パルス信号生成装置２１は、パルス信号Ｐｓを生成する。伝送回路２２は、パルス幅検出部２２８と出力制御部２２９とを有する。伝送回路２２は、パルス信号生成装置２１で生成されたパルス信号Ｐｓを、配線２４を介してプリドライバ２３に伝送する。ゲート駆動回路２５は、伝達されたパルス信号Ｐｓに基づいて動作する。パルス信号生成装置は、例えば、ＭＰＵ(Micro Control Unit)で構成される。パルス信号Ｐｓは、例えば、ＰＷＭ(Pulse Width Modulation)された信号である。
【００７４】
伝送システム２０ｓにおいては、パルス信号生成装置２１で生成されたパルス信号Ｐｓ（デジタル化したＰＷＭ信号）をゲート駆動回路２５のゲートに印加し、パルス信号Ｐｓのデューティ比により制御して、疑似的に正弦波に近い出力を生成させる。
【００７５】
しかしながら、動作電流が大きくなると、動作に伴って発生するノイズが回り込み、デューティ比による制御に対して悪影響を及ぼす。悪影響は、例えば、振動や発熱となってあらわれる。
【００７６】
そこで、実施の形態２に係る伝送システム２０ｓにおいては、伝送回路２２のパルス幅検出部２２８は、パルス信号Ｐｓのパルス幅Ｐｗが所定幅Ｗｈ未満か否かを検出する。出力制御部２２９は、パルス幅Ｐｗが所定幅Ｗｈ未満の場合、パルス信号Ｐｓを出力しない。また、出力制御部２２９は、パルス幅Ｐｗが所定幅Ｗｈ以上の場合、パルス信号Ｐｓを出力する。伝送回路２２は、短いパルス幅のパルス信号Ｐｓを出力しないので、伝送回路をショートパルスフィルタと称することもある。
【００７７】
パルス信号生成装置２１からプリドライバ２３までのパルス信号Ｐｓを伝送するための配線２４の配線長が長い場合、配線２４にノイズが乗ってしまう。ノイズは、例えば、短いパルス幅を有するパルス信号Ｐｓとなって配線２４に乗る。配線２４にノイズが乗ると、プリドライバ２３が誤動作し、プリドライバ２３が望ましくないタイミングで動作してしまう。
【００７８】
実施の形態２に係る伝送回路２２は、パルス幅Ｐｗが所定幅Ｗｈ未満の場合、パルス信号Ｐｓを出力しない。これにより、伝送回路２２は、パルス信号生成装置２１と伝送回路２２とを接続する配線２４ａにノイズが乗った場合、ノイズに起因する（対応する）短いパルス幅のパルス信号Ｐｓを出力しない。すなわち、伝送回路２２は、配線２４ａに乗ったノイズを除去する機能を有する。
【００７９】
その結果、ノイズの影響を低減することが可能な、伝送回路を提供することができる。
【００８０】
また、実施の形態２に係る伝送回路２２は、ノイズに対応する短いパルス幅のパルス信号Ｐｓを出力しないので、伝送回路２２の後段のプリドライバ２３が望ましくないタイミングで動作する（誤動作する）ことを抑制する。これにより、ゲート駆動回路２５に不必要な電流が流れることを抑制し、ゲート駆動回路２５の消費電力を低減することができる。
【００８１】
また、実施の形態２においては、ノイズの影響を受けにくくするためにパルス信号生成装置２１からプリドライバ２３までの配線長を短くする必要が無い。このため、パルス信号生成装置２１やプリドライバ２３の配置の自由度を増すことができる。
【００８２】
伝送回路２２の具体的な例を以下に記載する。
図７は、実施の形態２に係る伝送回路を例示する回路図である。
【００８３】
図７に示すように、実施の形態２に係る伝送回路２２において、クロック端子ＣＩＮに、例えば、本来のパルス信号Ｐｓの時間変化ステップ（時間分解能）の３分の１のパルス幅Ｐｗを有するクロックを入力する場合を例に挙げて伝送回路２２の動作を説明する。
【００８４】
このとき、パルス信号端子ＤＩＮに入力したパルス信号Ｐｓのパルス幅Ｐｗがクロックのパルス幅の３倍未満である場合、セットリセットラッチＳＲがリセットされ、パルス信号Ｐｓはパルス信号端子ＤＯＵＴから出力されない。
【００８５】
以上、本発明者によってなされた発明を実施の形態に基づき具体的に説明したが、本発明は既に述べた実施の形態に限定されるものではなく、その要旨を逸脱しない範囲において種々の変更が可能であることはいうまでもない。
【００８６】
また、上記の実施形態の一部又は全部は、以下の付記のようにも記載されうるが、以下には限定されない。
【００８７】
（付記１）
検波後の受信信号の電圧と基準電圧とを比較してパルス信号を出力する電圧比較部と、
前記パルス信号のパルス幅が所定幅未満の場合、前記基準電圧を所定電圧以上に設定し、前記パルス幅が前記所定幅以上の場合、前記基準電圧を前記所定電圧未満に設定する基準電圧設定部と、
前記パルス幅が前記所定幅未満の場合、前記パルス信号を出力せず、前記パルス幅が前記所定幅以上の場合、前記パルス信号を出力する出力制御部と、
を備える受信回路。
【００８８】
（付記２）
前記パルス幅が前記所定幅未満か否かを検出するパルス幅検出部を、さらに備えた付記１に記載の受信回路。
【００８９】
（付記３）
前記電圧比較部は、
前記受信信号の電圧が前記基準電圧以上の場合、Ｈｉｇｈの前記パルス信号を出力し、
前記受信信号の電圧が前記基準電圧未満の場合、Ｌｏｗの前記パルス信号を出力する、
付記１に記載の受信回路。
【００９０】
（付記４）
前記受信信号は、前記受信信号を検波する検波部を用いて前記受信信号の電圧に変換される、付記１に記載の受信回路。
【００９１】
（付記５）
前記受信信号は、ＦＳＫ(Frequency Shift Keying)変調された信号である、付記１に記載の受信回路。
【００９２】
（付記６）
前記パルス幅が前記所定幅未満の場合、自受信回路が含まれる受信装置を休止状態に設定する、付記１に記載の受信回路。
【００９３】
（付記７）
前記受信装置が前記休止状態において、前記パルス幅が前記所定幅以上の場合、前記受信装置を前記休止状態から起動状態に設定する、付記６に記載の受信回路。
【００９４】
（付記８）
前記所定幅は、正規の前記受信信号の電圧の最小のパルス幅である、付記１に記載の受信回路。
【００９５】
（付記９）
前記パルス幅検出部は、
前記パルス幅が前記所定幅未満の場合、制御信号を出力し、
前記パルス幅が前記所定幅以上の場合、制御信号を出力せず、
前記基準電圧設定部は、
前記制御信号が入力された場合、前記基準電圧を前記所定電圧以上に設定し、
前記制御信号が入力されない場合、前記基準電圧を前記所定電圧未満に設定し、
出力制御部は、
前記制御信号が入力された場合、前記パルス信号を出力せず、
前記制御信号が入力されない場合、前記パルス信号を出力する、
付記２に記載の受信回路。
【００９６】
（付記１０）
前記基準電圧設定部は、
一端が前記受信信号の電圧に接続され、他端が前記基準電圧に接続された抵抗素子と、
一端が前記抵抗素子の他端に接続され、他端がグランドに接続された容量素子と、
第１端子が前記基準電圧に接続され、第２端子が前記制御信号に接続された切替器と、
一端が前記切替器の第３端子に接続され、他端が前記グランドに接続された電流源と、を有し、
前記切替器は、
前記制御信号が入力された場合、前記第１端子と前記第３端子とを接続し、
前記制御信号が入力されない場合、前記第１端子と前記第３端子とを接続しない、
付記９に記載の受信回路。
【００９７】
（付記１１）
前記パルス幅検出部は、
前記パルス信号が入力するフリップフロップと、
前記フリップフロップに接続されたセットリセットラッチと、を有し、
前記セットリセットラッチは、
前記パルス幅が前記所定幅未満の場合、前記制御信号を出力し、
前記パルス幅が前記所定幅以上の場合、前記制御信号を出力しない、
付記９に記載の受信回路。
【００９８】
（付記１２）
パルス信号生成装置で生成されたパルス信号を、前記パルス信号に基づいて駆動するゲート駆動回路に伝送する伝送回路であって、
前記パルス信号のパルス幅が所定幅未満か否かを検出するパルス幅検出部と、
前記パルス幅が前記所定幅未満の場合、前記パルス信号を出力せず、前記パルス幅が前記所定幅以上の場合、前記パルス信号を出力する出力制御部と、
を備える伝送回路。
【００９９】
（付記１３）
受信回路を有する受信装置と、前記受信装置と通信する端末装置と、を備えるシステムであって、
前記端末装置は、前記受信装置に対して遠隔操作を行う送信部を有し、
前記受信回路は、
検波後の受信信号の電圧と基準電圧とを比較してパルス信号を出力する電圧比較部と、
前記パルス信号のパルス幅が所定幅未満の場合、前記基準電圧を所定電圧以上に設定し、前記パルス幅が前記所定幅以上の場合、前記基準電圧を前記所定電圧未満に設定する基準電圧設定部と、
前記パルス幅が前記所定幅未満の場合、前記パルス信号を出力せず、前記パルス幅が前記所定幅以上の場合、前記パルス信号を出力する出力制御部と、を有する、
システム。
【０１００】
（付記１４）
前記受信回路は、前記パルス幅が前記所定幅未満か否かを検出するパルス幅検出部を、さらに備える、付記１３に記載のシステム。
【０１０１】
（付記１５）
検波後の受信信号の電圧と基準電圧とを比較してパルス信号を出力するステップと、
前記パルス信号のパルス幅が所定幅未満の場合、前記基準電圧を所定電圧以上に設定し、前記パルス幅が前記所定幅以上の場合、前記基準電圧を前記所定電圧未満に設定するステップと、
前記パルス幅が前記所定幅未満の場合、前記パルス信号を出力せず、前記パルス幅が前記所定幅以上の場合、前記パルス信号を出力するステップと、
を備える方法。
【０１０２】
（付記１６）
検波後の受信信号の電圧と基準電圧とを比較してパルス信号を出力するステップと、
前記パルス信号のパルス幅が所定幅未満の場合、前記基準電圧を所定電圧以上に設定し、前記パルス幅が前記所定幅以上の場合、前記基準電圧を前記所定電圧未満に設定するステップと、
前記パルス幅が前記所定幅未満の場合、前記パルス信号を出力せず、前記パルス幅が前記所定幅以上の場合、前記パルス信号を出力するステップと、
をコンピュータに実行させるプログラム。
【符号の説明】
【０１０３】
１０…受信装置
１０ｓ…システム
１１…アンテナ
１２、４２…受信回路
１３…信号処理回路
１４…ドアロック制御回路
２０ｓ…伝送システム
２１…パルス信号生成装置
２２…伝送回路
２３…プリドライバ
２４、２４ａ、２４ｂ、２４ｃ…配線
２５…ゲート駆動回路
２２８…パルス幅検出部
２２９…出力制御部
６０…端末装置
６１…アンテナ
６２…送信部
１２１ａ…低雑音増幅部
１２１ｂ…中間周波増幅部
１２２…ミキサ
１２３…局部発振部
１２４ａ…バンドパスフィルタ
１２４ｂ…ローパスフィルタ
１２５、４２５…検波部
１２６、４２６…電圧比較部
１２７、４２７…基準電圧設定部
１２８…パルス幅検出部
１２９…出力制御部
１３１…デコーダ部
１３２…ＩＤ照合部
４２４ａ…分岐部
４２４ｂ…平滑部
Ｃ…容量素子
ＣＩＮ…クロック端子
Ｃｓ…制御信号
Ｇｓ…ゲート信号
ＤＩＮ…パルス信号端子
ＤＯＵＴ…パルス信号端子
ＧＡＴＥ…ゲート端子
ＦＦ…フリップフロップ
Ｇ…制御信号端子
ＧＮＤ…グランド
Ｉｓ…定電流源
Ｐｓ、Ｐｓｍ…パルス信号
Ｐｗ…パルス幅
Ｐｗｍ…最小パルス幅
Ｒｓ…受信信号
Ｒｓｓ…正規の受信信号
Ｍｓ…中間周波信号
Ｌｓ…局部発振信号
Ｄｓ…デジタル信号
Ｒ…抵抗素子
Ｓｗ…切替器
ＳＲ…セットリセットラッチ
ＳＰＵＬＳＥ…制御信号端子
Ｖｉｐ…受信信号電圧端子
Ｖｒｐ…基準電圧端子
Ｖｈ…所定電圧
Ｖｓ、Ｖｓ１、Ｖｓ２、Ｖｓｓ…電圧
Ｖｒ…基準電圧
Ｖｚ…ノイズ電圧
Ｗｈ…所定幅
【図１】
2019110379.tif 000003
【図２】
2019110379.tif 000004
【図３】
2019110379.tif 000005
【図４】
2019110379.tif 000006
【図５】
2019110379.tif 000007
【図６】
2019110379.tif 000008
【図７】
2019110379.tif 000009